(57)【要約】【課題】接続機構上に携帯型オーディオビデオ再生装置を設置してオーディオビデオを再生し、その音声を利用して音声制御機構を作動し続け、見る者を楽しませるオーディオビデオ再生装置の音声制御構造を提供する。【解決手段】オーディオビデオ再生装置の音声制御構造は、外カバー体１１と、外カバー体１１の中に設けられた起動ユニット１２と、外カバー体１１の外側に設けられ、起動ユニット１２と電気的に接続されたセンサユニット１３と、起動ユニット１２と電気的に接続された電源伝送ユニット１４とを有する音声制御機構１と、音声制御機構１の外カバー体１１と接続され、電源伝送ユニット１４が中に延設された収納ユニット２と、収納ユニット２の中に配置し、配置エリア３１を面上に有し、処理ユニット３２を中に有する接続機構３とを備える。【選択図】図１
0003155502.tif 000002
【実用新案登録請求の範囲】
【請求項１】
外カバー体と、前記外カバー体の中に設けられた起動ユニットと、前記外カバー体の外側に設けられ、前記起動ユニットと電気的に接続されたセンサユニットと、前記起動ユニットと電気的に接続された電源伝送ユニットと、を有する音声制御機構と、
前記音声制御機構の前記外カバー体と接続され、前記電源伝送ユニットが中に延設された収納ユニットと、
前記収納ユニットの中に配置し、配置エリアを面上に有し、処理ユニットを中に有する接続機構と、を備え、
前記処理ユニットは、前記配置エリアの中に設けられた接続装置と、電源コードと、前記電源伝送ユニットが挿入されるプラグ受けと、前記接続機構の面上に設けられた表示ユニットと、２つの側部にそれぞれ設けられたスピーカと、電気的にそれぞれ接続されることを特徴とするオーディオビデオ再生装置の音声制御構造。
【請求項２】
前記収納ユニットの面上には、前記表示ユニットに対応した箇所にウィンドウ部が設けられ、
前記収納ユニットの２つの側部は、前記スピーカに対応した箇所にそれぞれ貫通孔を有することを特徴とする請求項１に記載のオーディオビデオ再生装置の音声制御構造。
【考案の詳細な説明】
【技術分野】
【０００１】
本考案は、オーディオビデオ再生装置の音声制御構造に関し、特に、接続機構に携帯型オーディオビデオ再生装置を設置してオーディオビデオを再生し、この音声を利用して音声制御機構を作動し続け、見る者を楽しませるオーディオビデオ再生装置の音声制御構造に関する。
【背景技術】
【０００２】
従来の音声制御のぬいぐるみは、外カバー体と、外カバー体の中に設けられた起動ユニットと、外部環境の刺激に反応するように外カバー体の外側に設けられ、起動ユニットと電気的に接続されたセンサユニットと、起動ユニットと電気的に接続されたバッテリと、を含む。この構造により、センサユニットが外部環境の音声を受信すると、起動ユニットを起動させ、外カバー体が作動する。このように、ぬいぐるみの動作を音声により制御することができる。
【０００３】
しかし、音声制御ぬいぐるみの電力源が電池であり、起動信号として外部環境の音声を用いるため、電力供給には限界があり、音声制御ぬいぐるみの動作を継続して長時間行うことができなかった。そのため、音声制御ぬいぐるみの電力源には、電池以外に、変圧器を用いてもよい。また、音声制御ぬいぐるみの作動は、外部の音声により起動されるが、センサユニットが一般に強い音声だけにしか反応しないため、外部の音声の強度が均一でなく、センサユニットが断続的に音声を受信する場合、音声制御ぬいぐるみの動作が遅れたり止まったりし、動作がスムーズでなくなる虞があった。そのため、見る者を楽しませるために、音声制御ぬいぐるみを音声により起動し、作動を継続し続けるオーディオビデオ再生装置の音声制御構造が求められていた。
【考案の概要】
【考案が解決しようとする課題】
【０００４】
本考案の目的は、接続機構上に携帯型オーディオビデオ再生装置を設置してオーディオビデオを再生し、音声を利用して音声制御機構を作動し続け、見る者を楽しませるオーディオビデオ再生装置の音声制御構造を提供することにある。
【課題を解決するための手段】
【０００５】
上記課題を解決するために、本考案の第１の形態によれば、外カバー体と、前記外カバー体の中に設けられた起動ユニットと、前記外カバー体の外側に設けられ、前記起動ユニットと電気的に接続されたセンサユニットと、前記起動ユニットと電気的に接続された電源伝送ユニットと、を有する音声制御機構と、前記音声制御機構の前記外カバー体と接続され、電源伝送ユニットが中に延設された収納ユニットと、前記収納ユニットの中に配置し、配置エリアを面上に有し、処理ユニットを中に有する接続機構と、を備え、前記処理ユニットは、前記配置エリアの中に設けられた接続装置と、電源コードと、前記電源伝送ユニットが挿入されるプラグ受けと、前記接続機構の面上に設けられた表示ユニットと、２つの側部にそれぞれ設けられたスピーカと、電気的にそれぞれ接続されることを特徴とするオーディオビデオ再生装置の音声制御構造が提供される。
【０００６】
前記収納ユニットの面上には、前記表示ユニットに対応した箇所にウィンドウ部が設けられ、前記収納ユニットの２つの側部は、前記スピーカに対応した箇所にそれぞれ貫通孔を有することが好ましい。
【考案の効果】
【０００７】
本考案のオーディオビデオ再生装置の音声制御構造は、接続機構上に携帯型オーディオビデオ再生装置を設置してオーディオビデオを再生し、その音声を利用して音声制御機構を作動し続けることにより、見る者を楽しませることができる。
【図面の簡単な説明】
【０００８】
【図１】本考案の一実施形態によるオーディオビデオ再生装置の音声制御構造を示す斜視図である。
【図２】本考案の一実施形態によるオーディオビデオ再生装置の音声制御構造を示す斜視図である。
【図３】本考案の一実施形態によるオーディオビデオ再生装置の音声制御構造を示す斜視図である。
【図４】本考案の一実施形態によるオーディオビデオ再生装置の音声制御構造を示す正面図である。
【考案を実施するための形態】
【０００９】
以下、本考案の実施形態について図に基づいて説明する。なお、これによって本考案が限定されるものではない。
【００１０】
図１および図２に示すように、本考案の一実施形態によるオーディオビデオ再生装置の音声制御構造は、音声制御機構１、収納ユニット２および接続機構３を含む。
【００１１】
音声制御機構１は、外カバー体１１と、外カバー体１１の中に設けられた起動ユニット１２と、外カバー体１１の外側に配置され、起動ユニット１２と電気的に接続されたセンサユニット１３と、起動ユニット１２と電気的に接続された電源伝送ユニット１４と、を含む。外カバー体１１は、動物、人間、植物を模した形状でもよいし、その他の幾何学的形状でもよい。
【００１２】
収納ユニット２は、上述の音声制御機構１の外カバー体１１に接続させることができる。収納ユニット２の中には電源伝送ユニット１４が延設されている。収納ユニット２の一面上にはウィンドウ部２１が設けられ、収納ユニット２の２つの側部に貫通孔２２がそれぞれ設けられている。
【００１３】
収納ユニット２の中に配置させることが可能な接続機構３は、面上に配置エリア３１が設けられ、その中に処理ユニット３２が設けられている。処理ユニット３２は、配置エリア３１の中の接続装置３３と、電源コード３４と、電源伝送ユニット１４を挿入するプラグ受け３５と、接続機構３の面上で、ウィンドウ部２１に対応するように設けられた表示ユニット３６と、接続機構３の２つの側部に、貫通孔２２に対応するようにそれぞれ設けられたスピーカ３７と、電気的に接続されている。
【００１４】
図３および図４に示すように、本実施形態を実際に使用する際は、接続機構３のプラグ受け３５へ音声制御機構１の電源伝送ユニット１４を挿入し、接続機構３の電源コード３４を介して室内の電力プラグ（図示せず）と接続することにより、音声制御機構１および接続機構３に必要な電力を供給する。さらに、接続機構３の配置エリア３１の中へ、所望の携帯型オーディオビデオ再生装置４を設置し、配置エリア３１の中の接続装置３３に携帯型オーディオビデオ再生装置４の突き合せ接続装置４１を挿入して接続することにより、携帯型オーディオビデオ再生装置４がオーディオビデオを再生するときに、接続機構３のスピーカ３７から音声を再生させるとともに、必要に応じて信号変換または（および）充電を行ってもよい。さらに、携帯型オーディオビデオ再生装置４がオーディオビデオを再生し、センサユニット１３がスピーカ３７から出力された音声を受信すると、起動ユニット１２を起動させて外カバー体１１が作動する。このように、携帯型オーディオビデオ再生装置４によりオーディオビデオが再生されると、接続機構３が音声制御機構１を作動させるため、見る者を楽しませることができる。
【００１５】
音声制御機構１の電力源は、接続機構３の電源コード３４を用いる以外に、必要に応じて音声制御機構１に設けた電池（図示せず）を用いてもよい。
【００１６】
上述したことから分かるように、本考案のオーディオビデオ再生装置の音声制御構造は、携帯型オーディオビデオ再生装置を接続機構上に設置し、オーディオビデオを再生すると、音声を利用して音声制御機構を作動し続け、見る者を楽しませることができる。
【００１７】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００１８】
１  音声制御機構
２  収納ユニット
３  接続機構
４  携帯型オーディオビデオ再生装置
１１  外カバー体
１２  起動ユニット
１３  センサユニット
１４  電源伝送ユニット
２１  ウィンドウ部
２２  貫通孔
３１  配置エリア
３２  処理ユニット
３３  接続装置
３４  電源コード
３５  プラグ受け
３６  表示ユニット
３７  スピーカ
４１  突き合せ接続装置
【図１】
0003155502.tif 000003
【図２】
0003155502.tif 000004
【図３】
0003155502.tif 000005
【図４】
0003155502.tif 000006